(57)【要約】【課題】使用済み放射性イオン交換樹脂を処理する際、溶離に使用する酸水溶液を効率よく回収し、二次廃棄物の発生量を低減できる使用済み放射性イオン交換樹脂の処理方法を提供する。【解決手段】酸水溶液を溶離槽１に通して放射性イオン交換樹脂から放射性物質を溶離し、この溶離液を拡散透析（２）によって放射性物質含有水溶液（６）と酸水溶液（７）とに分離し、分離された前記放射性物質含有水溶液（６）は濃縮して濃縮液（３）とし、分離された前記酸水溶液（７）は前記溶離槽１に戻す放射性イオン交換樹脂の処理方法において、前記濃縮液（３）を新たな樹脂処理における前記溶離槽１への初期通液として使用し、次いで新たな酸水溶液を前記溶離槽１に通して放射性イオン交換樹脂から放射性物質を溶離することを特徴とする放射性イオン交換樹脂の処理方法。【選択図】        図１
2005049173.tif 000002
【特許請求の範囲】
【請求項１】
酸水溶液を溶離槽に通して放射性イオン交換樹脂から放射性物質を溶離し、この溶離液を拡散透析によって放射性物質含有水溶液と酸水溶液とに分離し、分離された前記放射性物質含有水溶液は濃縮して濃縮液とし、分離された前記酸水溶液は前記溶離槽に戻す放射性イオン交換樹脂の処理方法において、
前記濃縮液を新たな樹脂処理における前記溶離槽への初期通液として使用し、次いで新たな酸水溶液を前記溶離槽に通して放射性イオン交換樹脂から放射性物質を溶離することを特徴とする放射性イオン交換樹脂の処理方法。
【請求項２】
前記濃縮液から拡散透析によって酸水溶液を再度分離し、ここで分離された酸水溶液を新たな樹脂処理における前記溶離槽への初期通液として使用することを特徴とする請求項１に記載の放射性イオン交換樹脂の処理方法。
【請求項３】
前記放射性物質含有水溶液と前記酸水溶液とに分離する際に、拡散透析に用いる槽と、前記濃縮液から前記酸水溶液を再度分離する際に、拡散透析に用いる槽とが同一であることを特徴とする請求項２に記載の放射性イオン交換樹脂の処理方法。
【請求項４】
前記放射性物質含有水溶液と前記酸水溶液とに分離する際に、拡散透析に用いる槽と、前記濃縮液から前記酸水溶液を再度分離する際に、拡散透析に用いる槽とが異なることを特徴とする請求項２に記載の放射性イオン交換樹脂の処理方法。
【請求項５】
放射能濃度に応じて、前記放射性物質含有水溶液を放射能濃度が高い放射性物質含有水溶液と放射能濃度が低い放射性物質含有水溶液とに分け、放射能濃度が高い前記放射性物質含有水溶液は濃縮して前記濃縮液とし、放射能濃度が低い前記放射性物質含有水溶液は当該施設の液体廃棄物処理系へ排出することを特徴とする請求項１〜４のいずれか一項に記載の放射性イオン交換樹脂の処理方法。
【請求項６】
放射性イオン交換樹脂が充填され、酸水溶液を通すことによって放射性イオン交換樹脂から放射性物質を溶離させる溶離槽と、
拡散透析膜を備え、前記溶離槽で発生した溶離液を通すことによって放射性物質含有水溶液と酸水溶液とに分離させる拡散透析槽と、
前記拡散透析槽で分離された前記放射性物質含有水溶液を濃縮して濃縮液とする濃縮装置とを備え、
前記拡散透析槽で分離された前記酸水溶液を前記溶離槽に戻すために、前記拡散透析槽が前記溶離槽に接続されている放射性イオン交換樹脂の処理装置において、
前記濃縮液を新たな樹脂処理の初期に前記溶離槽に通せるように、前記濃縮装置がポンプを介して前記溶離槽に接続されていることを特徴とする放射性イオン交換樹脂の処理装置。
【請求項７】
放射性イオン交換樹脂が充填され、酸水溶液を通すことによって放射性イオン交換樹脂から放射性物質を溶離させる溶離槽と、
拡散透析膜を備え、前記溶離槽で発生した溶離液を通すことによって放射性物質含有水溶液と酸水溶液とに分離させる拡散透析槽と、
前記拡散透析槽で分離された前記放射性物質含有水溶液を濃縮して濃縮液とする濃縮装置とを備え、
前記拡散透析槽で分離された前記酸水溶液を前記溶離槽に戻すために、前記拡散透析槽が前記溶離槽に接続されている放射性イオン交換樹脂の処理装置において、
前記濃縮液を前記拡散透析槽に通して酸水溶液を再度分離し、ここで分離された酸水溶液を新たな樹脂処理の初期に前記溶離槽に通せるように、前記濃縮装置がポンプを介して前記拡散透析槽に接続されていることを特徴とする放射性イオン交換樹脂の処理装置。
【請求項８】
放射性イオン交換樹脂が充填され、酸水溶液を通すことによって放射性イオン交換樹脂から放射性物質を溶離させる溶離槽と、
拡散透析膜を備え、前記溶離槽で発生した溶離液を通すことによって放射性物質含有水溶液と酸水溶液とに分離させる第一拡散透析槽と、
前記第一拡散透析槽で分離された前記放射性物質含有水溶液を濃縮して濃縮液とする濃縮装置と、
前記濃縮液から酸水溶液を再度分離させる第二拡散透析槽とを備え、
前記第一拡散透析槽で分離された前記酸水溶液を前記溶離槽に戻すために、前記第一拡散透析槽が前記溶離槽に接続されている放射性イオン交換樹脂の処理装置において、
再度分離された前記酸水溶液を新たな樹脂処理の初期に前記溶離槽に通せるように、前記濃縮装置がポンプを介して前記第二拡散透析槽に接続され、さらに前記第二拡散透析槽が前記溶離槽に接続されていることを特徴とする放射性イオン交換樹脂の処理装置。
【発明の詳細な説明】
【０００１】
【発明の属する技術分野】
本発明は、原子力発電所等から発生する使用済み放射性イオン交換樹脂の処理方法及びその処理装置に関する。
【０００２】
従来、原子力発電所等から発生する使用済み放射性イオン交換樹脂は、酸水溶液を用いて放射性物質を溶離処理した後、焼却されている。ここで発生した溶離液からは拡散透析膜を用いて酸水溶液が回収され、回収された酸水溶液は溶離処理に再使用して二次廃棄物の発生量を低減している。そして酸水溶液が回収された溶離液は中和、濃縮された後、固化して廃棄されている。しかし上記処理において、酸水溶液の回収は１００％行われる訳ではないので、酸損失分を補給する必要があり、それにより二次廃棄物が発生する。
【０００３】
そこで、酸水溶液を効率よく回収し、酸の補給量を低減させる方法として、酸水溶液を用いて放射性イオン交換樹脂に吸着している放射性物質を溶離し、この溶離液を第一の拡散透析槽へ通して酸水溶液を回収し、酸が回収された溶離液を濃縮して濃縮液とし、この濃縮液を第二の拡散透析槽へ通して酸水溶液を再度回収し、これら回収された酸水溶液を溶離処理に再使用する方法が提案されている（例えば、特許文献１参照）。
【０００４】
【特許文献１】
特公平６−７２９５７号公報
【０００５】
【発明が解決しようとする課題】
周知の通り拡散透析膜は放射性物質含有水溶液から酸を選択的に透析回収することができるが、放射性物質の透過を完全に阻止できるものではなく、放射性物質の一部が酸水溶液回収側に透過する。ただし、透過する放射性物質はあくまで一部であるので、拡散透析槽が一段の場合には殆ど問題にならず、実用に供せられている。
しかしながら、上記処理方法においては、濃縮液に高濃度の放射性物質が含まれるため、この濃縮液を第二の拡散透析槽へ通すと、放射性物質の酸水溶液回収側への透過量が多くなり、この透過した放射性物質が処理系内を循環すると放射性イオン交換樹脂の溶離性能が低下する、即ち、所定の除染性能を得ようとすると、溶離処理に時間が掛かり、結果として二次廃棄物の発生量を抑制することができないという問題があった。
【０００６】
本発明は、上記のような課題を解決するためになされたものであり、使用済み放射性イオン交換樹脂を処理する際、溶離に使用する酸水溶液を効率よく回収して再使用し、二次廃棄物の発生量を低減させること目的としている。
【０００７】
【課題を解決するための手段】
上記課題を解決する本発明に係る放射性イオン交換樹脂の処理方法は、酸水溶液を溶離槽に通して放射性イオン交換樹脂から放射性物質を溶離し、この溶離液を拡散透析によって放射性物質含有水溶液と酸水溶液とに分離し、分離された前記放射性物質含有水溶液は濃縮して濃縮液とし、分離された前記酸水溶液は前記溶離槽に戻し、さらに前記濃縮液を新たな樹脂処理における前記溶離槽への初期通液として使用し、次いで新たな酸水溶液を前記溶離槽に通して放射性イオン交換樹脂から放射性物質を溶離することを特徴とする。
【０００８】
前記濃縮液から拡散透析によって酸水溶液を再度分離し、ここで分離された酸水溶液を新たな樹脂処理における前記溶離槽への初期通液として使用することも好ましい。
【０００９】
また、前記放射性物質含有水溶液と前記酸水溶液とに分離する際に、拡散透析に用いる槽と、前記濃縮液から前記酸水溶液を再度分離する際に、拡散透析に用いる槽とを同一にすることもできるし、異ならせることもできる。
【００１０】
さらに、放射能濃度に応じて、前記放射性物質含有水溶液を放射能濃度が高い放射性物質含有水溶液と放射能濃度が低い放射性物質含有水溶液とに分け、放射能濃度が高い前記放射性物質含有水溶液は濃縮して濃縮液とし、放射能濃度が低い前記放射性物質含有水溶液は当該施設の液体廃棄物処理系へ排出することも望ましい。
【００１１】
別の局面によれば、本発明に係る放射性イオン交換樹脂の処理装置は、放射性イオン交換樹脂が充填され、酸水溶液を通すことによって放射性イオン交換樹脂から放射性物質を溶離させる溶離槽と、拡散透析膜を備え、前記溶離槽で発生した溶離液を通すことによって放射性物質含有水溶液と酸水溶液とに分離させる拡散透析槽と、前記拡散透析槽で分離された前記放射性物質含有水溶液を濃縮して濃縮液とする濃縮装置とを備え、前記拡散透析槽で分離された前記酸水溶液を前記溶離槽に戻すために、前記拡散透析槽が前記溶離槽に接続されており、さらに前記濃縮液を新たな樹脂処理の初期に前記溶離槽に通せるように、前記濃縮装置がポンプを介して前記溶離槽に接続されていることを特徴とする。
【００１２】
また、本発明に係る放射性イオン交換樹脂の処理装置は、放射性イオン交換樹脂が充填され、酸水溶液を通すことによって放射性イオン交換樹脂から放射性物質を溶離させる溶離槽と、拡散透析膜を備え、前記溶離槽で発生した溶離液を通すことによって放射性物質含有水溶液と酸水溶液とに分離させる拡散透析槽と、前記拡散透析槽で分離された前記放射性物質含有水溶液を濃縮して濃縮液とする濃縮装置とを備え、前記拡散透析槽で分離された前記酸水溶液を前記溶離槽に戻すために、前記拡散透析槽が前記溶離槽に接続されており、さらに前記濃縮液を前記拡散透析槽に通して酸水溶液を再度分離し、ここで分離された酸水溶液を新たな樹脂処理の初期に前記溶離槽に通せるように、前記濃縮装置がポンプを介して前記拡散透析槽に接続されていることを特徴とする。
【００１３】
さらにまた、本発明に係る放射性イオン交換樹脂の処理装置は、放射性イオン交換樹脂が充填され、酸水溶液を通すことによって放射性イオン交換樹脂から放射性物質を溶離させる溶離槽と、拡散透析膜を備え、前記溶離槽で発生した溶離液を通すことによって放射性物質含有水溶液と酸水溶液とに分離させる第一拡散透析槽と、前記第一拡散透析槽で分離された前記放射性物質含有水溶液を濃縮して濃縮液とする濃縮装置と、前記濃縮液から酸水溶液を再度分離させる第二拡散透析槽とを備え、前記第一拡散透析槽で分離された前記酸水溶液を前記溶離槽に戻すために、前記第一拡散透析槽が前記溶離槽に接続されており、さらに再度分離された前記酸水溶液を新たな樹脂処理の初期に前記溶離槽に通せるように、前記濃縮装置がポンプを介して前記第二拡散透析槽に接続され、さらに前記第二拡散透析槽が前記溶離槽に接続されていることを特徴とする。
【００１４】
【発明の実施の形態】
以下、本発明の各実施の形態について図面を用いて詳細に説明する。
【００１５】
（第一の実施の形態）
図１は、本発明の一実施形態に係る放射性イオン交換樹脂の処理方法を適用する放射性イオン交換樹脂の処理装置の構成を示すブロック図である。
【００１６】
本実施の形態に係る放射性イオン交換樹脂の処理装置は、溶離槽１と、拡散透析槽２と、濃縮装置３と、ポンプ８とを備えており、溶離槽１の下流側が拡散透析槽２の左室６を介して濃縮装置３に接続され、拡散透析槽２の右室７がバルブ４ａを介して溶離槽１の上流側に接続され、さらに濃縮装置３の下流側がポンプ８及びバルブ４ｂを介して溶離槽１の上流側に接続されている。
【００１７】
この溶解槽１は、図示しない使用済みイオン交換樹脂供給部から使用済みイオン交換樹脂がその内部に供給されるようにしている。まず、１バッチ目の放射性イオン交換樹脂が溶離槽１に供給され、この放射性イオン交換樹脂が溶離槽１に充填された状態で溶離槽１に酸水溶液（例えば、硫酸水溶液）を供給すると、放射性イオン交換樹脂に吸着している放射性物質が溶離され、この溶離液は拡散透析槽２の左室６に供給されるようにしている。また放射性物質が分離除去された樹脂は、必要に応じ、図示しない焼却炉へ移送され、焼却処理される。
【００１８】
このように放射性イオン交換樹脂が充填された溶離槽１に酸水溶液を通すことによって、放射性イオン交換樹脂から放射性物質を分離することができる。
【００１９】
拡散透析槽２は、その中央に拡散透析膜５を備え、更にこの拡散透析膜５により仕切られた左室６と右室７とを備えている。溶離槽１から供給される溶離液は、左室６の下部側に供給され、拡散透析処理された後、放射性物質含有水溶液として左室６の上部側から濃縮装置３に供給される。一方、図示しない純水供給部から供給される純水又は後述する濃縮装置３で回収された蒸留水は、右室７の上部側に供給され、右室７の下部側からバルブ４ａを介して溶離槽１に供給される。
【００２０】
すなわち、拡散透析槽２の左室６では下側から上側に向かって溶離液が流れ、右室７では上側から下側に向かって純水が流れるようにしている。このように拡散透析膜５を介して左室６と右室７とで逆向きの流れ（向流）を形成することによって、左室６を流れる溶離液から酸が拡散透析膜５を透過して右室７に効率よく移行する。右室７に移行した酸は、純水によって希釈され酸水溶液となり、溶離槽１に戻されるようにしている。一方、放射性物質（Ｃｓ−１３７、Ｓｒ−９０、Ｃｏ−６０等）は右室７へほとんど移行せず左室６に残り、それを含む水溶液は左室６の上部側から濃縮装置３に供給されるようにしている。
【００２１】
このように、拡散透析槽２では、溶離液から酸を回収することができ、回収した酸を溶離槽１に供給すると共に、放射性物質を多く含有する水溶液を濃縮装置３に供給する。
【００２２】
濃縮装置３は、拡散透析槽２の左室６から供給された放射性物質含有水溶液を濃縮して濃縮液とし、これを貯めることができるように構成されている。このような濃縮装置としては、例えば、蒸発式濃縮装置、電気脱塩式（ｅｌｅｃｔｒｏｄｅｉｏｎｉｚａｔｉｏｎ：ＥＤＩ）濃縮装置、電気透析式濃縮装置、逆浸透膜方式濃縮装置等が挙げられる。この濃縮装置３には、当該バッチの間、濃縮液を貯留しておき、放射性イオン交換樹脂の処理を終了させる（すなわち放射性物質が分離除去された１バッチ目の樹脂は溶離槽から排出し、焼却炉へ移送され、焼却処理される）。ここで貯められた濃縮液はポンプ８によって新たな樹脂処理、例えば次バッチの樹脂処理の初期に溶離槽１へ供給され、溶離に使用された後、拡散透析槽２で酸水溶液が分離される。これにより新たな樹脂処理の初期は放射能濃度が高くなるものの、その後は新たな酸水溶液を用いて溶離を行うため、その影響は長く継続せず、従来の拡散透析槽が一段の場合と大差無い時間で所定の除染性能を得ることができる。
【００２３】
酸水溶液が分離回収された濃縮液は図示しないタンクに長期貯蔵して減衰し、必要に応じ、図示しない固化装置に移送され、固化廃棄体として処分される。また、濃縮装置３が蒸発式の場合には、放射性物質含有水溶液を蒸発濃縮する際に得られる蒸留水を拡散透析槽２の右室７上部側に供給して再利用することができる。
【００２４】
ここで、新たな樹脂処理とは、必ずしも次バッチ（２バッチ目）の処理を意味するものではなく、何バッチ目の樹脂処理であってもよく、例えば、２バッチ目に使用するのであれば当該バッチ分の濃縮液を貯留し、３バッチ目に使用するのであれば１及び２バッチ分の濃縮液を貯留する。ただし、放射性物質含有水溶液の濃縮倍率をバッチ数に応じて調節することが好ましく、特に濃縮液の全量を溶離槽に供給する場合には、濃縮液量と新たな使用済みイオン交換樹脂の充填量とが等しくなる程度に濃縮倍率を調節することが好ましい。例えば、使用済みイオン交換樹脂の充填量を１容量単位とし、放射性イオン交換樹脂の溶離に要する酸水溶液が２０容量単位であるとすると、２バッチ目の初期に濃縮液の全量を溶離槽へ供給する場合には２０倍濃縮し、３バッチ目なら４０倍濃縮する。これは濃縮倍率が低く濃縮液量が多過ぎると、所定の除染性能を得るのに溶離処理に時間が掛かるためである。
また、初期とは、溶離槽から処理済のイオン交換樹脂が排出された後、新たな使用済みイオン交換樹脂が充填され、新たな酸水溶液が溶離槽に通される前のことをいう。即ち濃縮装置に貯められた濃縮液を新たな樹脂処理の初期に溶離槽へ供給するということは、濃縮液を新たな樹脂処理における溶離槽への初期通液、いわゆる溶離槽の液張りとして使用することを意味する。
【００２５】
上述したように、本実施の形態に係る放射性イオン交換樹脂の処理方法を適用した放射性イオン交換樹脂処理装置においては、濃縮液を新たな樹脂処理における溶離槽への初期通液として使用することによって、放射性物質が処理系内を循環することがないので、従来の拡散透析槽が二段の場合と比較して、所定の除染性能を得るのに要する溶離時間を大幅に短縮することができる。例えば、従来の二段拡散透析槽を備えた放射性イオン交換樹脂処理装置では、図５に示すように、溶離時間を長くしても所望の除染性能（ＤＦ（Ｄｅｃｏｎｔａｍｉｎａｔｉｏｎ  Ｆａｃｔｏｒ）＞１０００）を達成することができないのに対して、本実施の形態に係る放射性イオン交換樹脂の処理方法を適用した放射性イオン交換樹脂処理装置では、図４に示すように、短い溶離時間で所望の除染性能（ＤＦ＞１０００）を達成することができる（ただし、図４及び５において、ＢＶ＝（溶離槽に通した液量［ｍ３］）／（溶離槽内の樹脂体積［ｍ３］）、ＤＦ＝（溶離前の樹脂保有放射能）／（溶離後の樹脂保有放射能）である）。
また、溶離液から酸水溶液を回収（約９０％）し、濃縮液から酸水溶液を再度回収（約９０％）するので、溶離に用いる酸水溶液を効率よく回収する（約９９％）ことができ、従来の拡散透析槽が一段の場合と比較して、二次廃棄物の発生量を大幅に低減する（約１／１０）ことができる。さらに又、拡散透析槽が１基なので、その運転制御やメンテナンスが容易であるという効果もある。
【００２６】
（第二の実施の形態）
図２は、本発明の一実施形態に係る放射性イオン交換樹脂の処理方法を適用する放射性イオン交換樹脂の処理装置の構成を示すブロック図である。
【００２７】
第一の実施の形態では、濃縮装置３の下流側がポンプ８及びバルブ４ｂを介して溶離槽１の上流側に接続されていたが、本実施の形態に係る放射性イオン交換樹脂の処理方法を適用した放射性イオン交換樹脂処理装置は、濃縮装置３の下流側がポンプ８及びバルブ４ｄを介して拡散透析槽２の左室６下部側に接続されるように構成した。その他の構成については、図１に示す構成と同様であるので、本実施の形態では、図１と同一部分には同一符号を付してその説明を省略する。
【００２８】
本実施の形態では、濃縮装置３内に貯められた濃縮液をポンプ８によって拡散透析槽２の左室６に供給して酸水溶液を再度分離回収し、ここで分離回収された酸水溶液を新たな樹脂処理の初期に溶離槽１へ供給するようにしている。一方、酸水溶液が分離回収された濃縮液は図示しないタンクに長期貯蔵して減衰し、必要に応じ、図示しない固化装置に移送され、固化廃棄体として処分される。また、濃縮装置３が蒸発式の場合には、放射性物質含有水溶液を蒸発濃縮する際に得られる蒸留水を拡散透析槽２の右室７上部側に供給して再利用することができる。
【００２９】
上述したように、本実施の形態に係る放射性イオン交換樹脂の処理方法を適用した放射性イオン交換樹脂処理装置においては、濃縮液から再度分離回収された酸水溶液を、新たな樹脂処理における溶離槽への初期通液として使用することによって、第一の実施の形態と同様の効果が得られる。
【００３０】
（第三の実施の形態）
図３は、本発明の一実施形態に係る放射性イオン交換樹脂の処理方法を適用する放射性イオン交換樹脂の処理装置の構成を示すブロック図である。
【００３１】
第一の実施形態では、濃縮装置３の下流側がポンプ８及びバルブ４ｂを介して溶離槽１の上流側に接続されていたが、本実施の形態に係る放射性イオン交換樹脂の処理装置は、濃縮装置３の下流側がポンプ８を介して第二拡散透析槽２０の左室２１下部側に接続され、第二拡散透析槽２０の右室２２下部側はバルブ４ｆを介して溶離槽１の上流側に接続されるように構成した。第二拡散透析槽は、第一拡散透析槽と同様に、その中央部に拡散透析膜２３を備え、さらにこの拡散透析膜２３により仕切られた左室２１と右室２２とを備えている。その他の構成については、図１に示す構成と同様であるので、本実施の形態では、図１と同一部分には同一符号を付してその説明を省略する。
【００３２】
本実施の形態では、濃縮装置３内に貯められた濃縮液をポンプ８によって第二拡散透析槽２０の左室２１に供給して酸水溶液を再度分離回収し、ここで分離回収された酸水溶液を新たな樹脂処理の初期に溶離槽１へ供給するようにしている。一方、酸水溶液が分離回収された濃縮液は図示しないタンクに長期貯蔵して減衰し、必要に応じ、固化装置９に移送され、固化廃棄体として処分される。また、濃縮装置３が蒸発式の場合には、放射性物質含有水溶液を蒸発濃縮する際に得られる蒸留水を第一拡散透析槽２の右室７上部側に供給して再利用することができる。なお、第二拡散透析槽２０の右室２２の下流側に再度分離回収された酸水溶液を貯留できる図示しない酸水溶液タンクを設け、この酸水溶液タンク内に貯められた酸水溶液を新たな樹脂処理の初期に溶離槽１へ供給することもできる。
【００３３】
上述したように、本実施の形態に係る放射性イオン交換樹脂の処理方法を適用した放射性イオン交換樹脂処理装置においては、濃縮液を第二拡散透析槽へ通して再度分離回収された酸水溶液を、新たな樹脂処理における溶離槽への初期通液として使用することによって、第一及び第二の実施の形態と同様の効果が得られる。
【００３４】
さらに又、上記第一、第二及び第三の実施の形態に係る放射性イオン交換樹脂の処理方法では、拡散透析によって分離された放射性物質含有水溶液すべてを濃縮装置に供給する場合について説明したが、放射性物質含有水溶液中の放射能濃度に応じて、放射性物質含有水溶液を放射能濃度が高い放射性物質含有水溶液と放射能濃度が低い放射性物質含有水溶液とに分け、放射能濃度が高い放射性物質含有水溶液を濃縮装置に供給し、放射能濃度が低い放射性物質含有水溶液を当該施設の液体廃棄物処理系へ排出することも可能である。これにより酸水溶液が分離回収された後の濃縮液量を低減させることができる。
なお、放射能濃度が高い放射性物質含有水溶液と、放射能濃度が低い放射性物質含有水溶液との切り替えは、放射能モニター等により溶離液又は放射性物質含有水溶液中の放射能濃度を測定確認後行う。
【００３５】
【発明の効果】
本発明によれば、使用済み放射性イオン交換樹脂を処理する際、溶離に使用する酸水溶液を効率よく回収して再使用し、二次廃棄物の発生量を低減させることができる。
【図面の簡単な説明】
【図１】本発明の一実施形態に係る放射性イオン交換樹脂の処理方法を適用する放射性イオン交換樹脂の処理装置の構成を示すブロック図である。
【図２】本発明の一実施形態に係る放射性イオン交換樹脂の処理方法を適用する放射性イオン交換樹脂の処理装置の構成を示すブロック図である。
【図３】本発明の一実施形態に係る放射性イオン交換樹脂の処理方法を適用する放射性イオン交換樹脂の処理装置の構成を示すブロック図である。
【図４】本発明の一実施形態における除染係数を示すグラフである。
【図５】従来の二段拡散透析槽を備えた処理装置における除染係数を示すグラフである。
【符号の説明】
１  溶離槽、２  拡散透析槽、３  濃縮装置、４ａ〜４ｆ  バルブ、５  拡散透析膜、６  拡散透析槽の左室、７  拡散透析槽の右室、８  ポンプ、９  固化装置、２０  第二拡散透析槽、２１  第二拡散透析槽の左室、２２  第二拡散透析槽の右室、２３  第二拡散透析槽の拡散透析膜。
【図１】
2005049173.tif 000003
【図２】
2005049173.tif 000004
【図３】
2005049173.tif 000005
【図４】
2005049173.tif 000006
【図５】
2005049173.tif 000007